(57)【要約】【課題】室内での長時間装着に適したマスクを提供する。【解決手段】マスク１は、装着者の鼻および口を覆うマスク本体２と、マスク本体２の横方向両端部に設け装着者の耳に掛ける耳掛け体３とを備える。マスク本体２は、１枚のガーゼまたは２枚〜５枚の積層状のガーゼからなる本体形成部材４にて形成する。マスク本体２は、側面視断面が略Ｓ字状となるように本体形成部材４を折り畳んで形成した複数の折畳部５を有する。複数の折畳部５は、マスク本体２の横方向長さと同一の長さを有する第１折畳部６と、マスク本体２の横方向長さの半分以下の長さを有する第２折畳部７とからなる。【選択図】図１
2007319284.tif 000002
【特許請求の範囲】
【請求項１】
１枚のガーゼまたは２枚〜５枚の積層状のガーゼからなる本体形成部材にて形成され、装着者の鼻および口を覆うマスク本体と、
このマスク本体の横方向両端部に設けられ、装着者の耳に掛けられる耳掛け体とを備え、
前記マスク本体は、側面視断面が略Ｓ字状となるように折り畳まれた複数の折畳部を有し、
前記複数の折畳部は、
前記マスク本体の横方向長さと同一の長さを有する第１折畳部と、
前記マスク本体の横方向長さの半分以下の長さを有する第２折畳部とにて構成されている
ことを特徴とするマスク。
【請求項２】
本体形成部材は、１ｃｍ2あたり縦および横方向の糸のいずれか一方が２０本以上、いずれか他方が２６本以上存在する１枚のガーゼからなる
ことを特徴とする請求項１記載のマスク。
【請求項３】
本体形成部材の縦方向長さが２００〜３００ｍｍである
ことを特徴とする請求項１または２記載のマスク。
【請求項４】
耳掛け体は、直径が０．２５〜２ｍｍの紐部材にて形成されている
ことを特徴とする請求項１ないし３のいずれか一記載のマスク。
【請求項５】
第１折畳部は、マスク本体の縦方向中央部および縦方向両端側に位置し、
第２折畳部は、隣合う前記第１折畳部間であって前記マスク本体の横方向両端側に位置する
ことを特徴とする請求項１ないし４のいずれか一記載のマスク。
【請求項６】
第１折畳部は、マスク本体の縦方向中央部のみに位置し、
第２折畳部は、前記マスク本体の縦方向一端と前記第１折畳部との間および前記マスク本体の縦方向他端と前記第１折畳部との間であって、前記マスク本体の横方向両端側に位置し、
前記第２折畳部の長さが、前記第１折畳部側に位置するものほど長くなっている
ことを特徴とする請求項１ないし４のいずれか一記載のマスク。
【発明の詳細な説明】
【技術分野】
【０００１】
本発明は、保湿性に優れ、長時間装着しても装着者に息苦しさおよび煩わしさをほとんど感じさせず、室内での長時間装着に適したマスクに関するものである。
【背景技術】
【０００２】
マスクを装着する目的としては、大気中に浮遊する細菌、ウイルス、花粉、カビ、粉塵等の異物が体内へ侵入するのを防ぐことや、鼻および喉の乾燥を防ぐこと等があげられる。
【０００３】
従来のマスクは、異物が体内へ侵入するのを防ぐことを目的として、マスク本体の内部に捕集フィルターを配置したり、フィルター効果を得るために素材を積層する方法が採られている。例えば不織布タイプのマスクでは、外気側の不織布と口元側の不織布の間に捕集フィルターが配置されており、ガーゼタイプのマスクでは、通常１０枚以上のガーゼを積層するか、またはそれ以下の枚数のガーゼの間に捕集フィルターが配置されている。
【０００４】
これらのマスクは、大気中の異物の体内侵入を阻止する効果は大きいものの、大気を吸入するときにはフィルター効果が障害となり、マスクを長時間装着する場合に装着者に息苦しさを感じさせることもしばしば見受けられる。
【０００５】
そこで、マスク装着時の息苦しさを解消するために、マスク本体の鼻に当接する部分を口に当接する部分より薄くまたはきめを粗く成形して、鼻での呼吸が楽になるようにしたマスクが提案されている（特許文献１および特許文献２）。また、鼻および喉の乾燥を防ぐことを目的としたマスクは様々で、例えばマスク本体に保水シートと保湿シートとを配置するようにしたマスクが提案されている（特許文献３）。
【特許文献１】特開平８−２１５３２５号公報
【特許文献２】登録実用新案第３１１８３７５号公報
【特許文献３】特開２００３−６２０９８号公報
【発明の開示】
【発明が解決しようとする課題】
【０００６】
しかしながら、マスク装着時の息苦しさの解消を目的とした特許文献１および特許文献２も、口に当接する部分は鼻に当接する部分より厚いため、マスクを長時間装着する場合は必ずしも息苦しさを解消できるとは言えない。また、鼻および喉の乾燥を防ぐことを目的とした特許文献３も、マスク本体には保水シートおよび保湿シートの他に捕集フィルターが配置されているため、マスクを長時間装着する場合は息苦しさを感じさせることになる。
【０００７】
マスクは室外と室内で装着する場合があるが、比較的に大気中の異物が少ない室内で、マスクの保湿効果を求めてマスクを装着する装着者にとっては、長時間装着しても息苦しさを感じさせないマスクが望まれるものの、従来のマスクはいずれもこうした要求は満たすものとは言えない。
【０００８】
本発明は、このような点に鑑みなされたもので、保湿性に優れ、長時間装着しても装着者に息苦しさおよび煩わしさをほとんど感じさせず、室内での長時間装着に適したマスクを提供することを目的とする。
【課題を解決するための手段】
【０００９】
請求項１記載のマスクは、１枚のガーゼまたは２枚〜５枚の積層状のガーゼからなる本体形成部材にて形成され、装着者の鼻および口を覆うマスク本体と、このマスク本体の横方向両端部に設けられ、装着者の耳に掛けられる耳掛け体とを備え、前記マスク本体は、側面視断面が略Ｓ字状となるように折り畳まれた複数の折畳部を有し、前記複数の折畳部は、前記マスク本体の横方向長さと同一の長さを有する第１折畳部と、前記マスク本体の横方向長さの半分以下の長さを有する第２折畳部とにて構成されているものである。
【００１０】
請求項２記載のマスクは、請求項１記載のマスクにおいて、本体形成部材は、１ｃｍ2あたり縦および横方向の糸のいずれか一方が２０本以上、いずれか他方が２６本以上存在する１枚のガーゼからなるものである。
【００１１】
請求項３記載のマスクは、請求項１または２記載のマスクにおいて、本体形成部材の縦方向長さが２００〜３００ｍｍであるものである。
【００１２】
請求項４記載のマスクは、請求項１ないし３のいずれか一記載のマスクにおいて、耳掛け体は、直径が０．２５〜２ｍｍの紐部材にて形成されているものである。
【００１３】
請求項５記載のマスクは、請求項１ないし４のいずれか一記載のマスクにおいて、第１折畳部は、マスク本体の縦方向中央部および縦方向両端側に位置し、第２折畳部は、隣合う前記第１折畳部間であって前記マスク本体の横方向両端側に位置するものである。
【００１４】
請求項６記載のマスクは、請求項１ないし４のいずれか一記載のマスクにおいて、第１折畳部は、マスク本体の縦方向中央部のみに位置し、第２折畳部は、前記マスク本体の縦方向一端と前記第１折畳部との間および前記マスク本体の縦方向他端と前記第１折畳部との間であって、前記マスク本体の横方向両端側に位置し、前記第２折畳部の長さが、前記第１折畳部側に位置するものほど長くなっているものである。
【発明の効果】
【００１５】
請求項１に係る発明によれば、１枚のガーゼまたは２枚〜５枚の積層状のガーゼからなる本体形成部材で形成したマスク本体が、側面視断面が略Ｓ字状となるように折り畳まれた複数の折畳部を有し、これら複数の折畳部が、マスク本体の横方向長さと同一の長さを有する第１折畳部とマスク本体の横方向長さの半分以下の長さを有する第２折畳部とにて構成されているため、折畳部を広げると、マスク本体がドーム型の曲面を描くように立体化する。
【００１６】
そして、マスク本体と装着者の口との間に適度な空間が形成され、装着者の口にマスク本体がまとわりつくことがなく、長時間装着しても装着者に息苦しさおよび煩わしさをほとんど感じさせない。また、ガーゼの天然繊維等で湿気が適切に保持されるため、保湿性に優れ、その保持した湿気によって鼻および喉の乾燥を防ぐことができ、風邪の予防および治療等に好適である。さらに、マスク本体は軽量で通気性が良いため、装着感をほとんど感じさせることはなく、長時間リラックスした気分で装着できるとともに、室内での長時間装着に適している。
【００１７】
請求項２に係る発明によれば、本体形成部材が１ｃｍ2あたり縦および横方向の糸のいずれか一方が２０本以上、いずれか他方が２６本以上存在する１枚のガーゼからなるため、マスク本体と装着者の口との間の空間の湿度を略８０％に維持でき、保湿性が良好なマスク本体を形成でき、また、通気性が良くかつきわめて軽量となるため、装着時の煩わしさが軽減される。
【００１８】
請求項３に係る発明によれば、本体形成部材の縦方向長さが２００〜３００ｍｍであるため、ゆったりした立体マスクを形成できる。
【００１９】
請求項４に係る発明によれば、耳掛け体は直径が０．２５〜２ｍｍの紐部材にて形成されているため、太すぎて装着者に耳掛け体を掛けている実感を与えたり、逆に細すぎて耳に接触する部分に感覚が集中して違和感を与えたりするようなことがない。
【００２０】
請求項５に係る発明によれば、第１折畳部はマスク本体の縦方向中央部および縦方向両端側に位置し、第２折畳部は隣合う第１折畳部間であってマスク本体の横方向両端側に位置するため、折畳部を広げてマスク本体を適切に立体化させることができる。
【００２１】
請求項６に係る発明によれば、第１折畳部はマスク本体の縦方向中央部のみに位置し、第２折畳部はマスク本体の縦方向一端と第１折畳部との間およびマスク本体の縦方向他端と第１折畳部との間であってマスク本体の横方向両端側に位置し、第２折畳部の長さが第１折畳部側に位置するものほど長くなっているため、折畳部を広げてマスク本体を立体化させた場合、より風合いのある立体形状にできる。
【発明を実施するための最良の形態】
【００２２】
本発明のマスクの一実施の形態を図面を参照して説明する。
【００２３】
図１ないし図４において、１はガーゼタイプのマスクで、このマスク１は、軽量で装着しても息苦しくなく、保湿性に優れた、室内での長時間装着に適した睡眠用マスクである。マスク１は、大気中に浮遊する細菌等の異物が体内へ侵入するのを防ぐことを目的としたものではなく、このため、内部に捕集フィルタを配置したり、従来のガーゼマスクのように１０枚を超えるガーゼを積層する必要もない。
【００２４】
マスク１は、１枚のガーゼまたは２枚〜５枚の積層状のガーゼからなる略矩形シート状の本体形成部材４にて形成され装着者の鼻および口を覆うマスク本体２と、このマスク本体２の横方向両端部に設けられ装着者の耳に掛けられる左右の耳掛け体３とを備えている。
【００２５】
マスク本体２は、図１および図２に示すように装着前の状態では略矩形状の平面状であるが、図３および図４に示すように装着後の状態ではドーム型の曲面を描く立体形状となるものである。
【００２６】
マスク本体２は、側面視断面が略Ｓ字状となるように折り畳まれ装着前の状態でマスク本体２の横方向に沿って延在する複数の折畳部（折り込み片）５を有し、これら複数の折畳部５は、マスク本体２の横方向長さと同一の長さを有する複数の長い折畳部である第１折畳部（長い折り込み片）６と、マスク本体２の横方向長さの半分以下の長さを有する複数の短い折畳部である第２折畳部（短い折り込み片）７とにて構成されている。
【００２７】
第１折畳部６は、例えば５つ形成され、マスク本体２の縦方向中央部および縦方向両端側に位置する（図７（ａ）参照）。また、第２折畳部７は、マスク本体２の横方向両端側にそれぞれ６ずつ形成されて全体で合計１２存在し、隣合う第１折畳部６間であってマスク本体２の横方向両端側と、マスク本体２の縦方向一端である上端付近における横方向両端側と、マスク本体２の縦方向他端である下端付近における横方向両端側とに位置する（図７（ｂ）参照）。なお、各第２折畳部７の長さは、略同じで、マスク本体２の横方向長さの半分以下、すなわち例えばマスク本体２の横方向長さの略４分の１である。
【００２８】
そして、マスク本体２を形成する本体形成部材（ガーゼ生地）４は、図５に示すように、展開状態で略正方形をなすもので、例えば１ｃｍ2あたり縦および横方向の糸のいずれか一方が２０本以上（例えば２０本）、いずれか他方が２６本以上（例えば２６本）存在する１枚のガーゼからなる。従来の平型のガーゼマスクのマスク本体の質量は約９〜１３ｇ程度であるが、この１ｃｍ2あたり縦および横方向の糸の一方が２０本、他方が２６本存在する１枚のガーゼからなる本体形成部材（マスク本体２）４の質量は略３ｇで、従来に比べて、３分の１〜４分の１程度軽量となり、装着時の煩わしさが軽減される。なお、本体形成部材４は２枚〜５枚の積層状のガーゼからなるものでもよい。
【００２９】
また、本体形成部材４の縦方向長さは２００〜３００ｍｍが好ましく、本体形成部材４の横方向長さは１００〜１８０ｍｍが好ましい。
【００３０】
なお、従来の平型のガーゼマスクのマスク本体の縦方向長さは１００ｍｍ程度であり、またプリーツタイプの不織布マスクのマスク本体の縦方向長さは１７０ｍｍ程度である。本実施の形態に係るマスク１では、縦方向長さが２００〜３００ｍｍで質量が略３ｇの本体形成部材４を用いて作成し、このような大きさの本体形成部材４を用いれば多くの折畳部５を形成できるため、ゆったりした立体形状が得られる。縦方向長さが略３００ｍｍの本体形成部材４でマスク本体２を形成した場合、マスク本体２を展開状態にすることで装着者の喉を覆うことができるため、喉の潤いが保たれるのと同時に喉が保温されて、喉の奥の繊毛の働きを活発にすることができる。
【００３１】
一方、各耳掛け体３は、断面略円形状でその断面の直径が０．２５〜２ｍｍの紐部材９にて形成されており、この紐部材９の一部がマスク本体２の横方向両端部に形成された紐挿通部15内に挿通されている。紐部材９は、伸縮する弾性素材からなるものでもよく、伸縮しない非弾性素材からなるものでもよい。
【００３２】
なお、従来のマスクの耳掛け体を形成する紐部材の太さは直径２．５ｍｍ以上である。紐部材９の直径が２ｍｍを超えると、装着者に耳掛け体３を掛けている実感を与えるため、長時間の装着によっては煩わしさを感じさせてしまう可能性がある。逆に紐部材９の直径が０．２５ｍｍ未満だと、装着者の耳に接触する部分に感覚が集中するため違和感を与えてしまう可能性がある。紐部材９の長さは、耳に掛けた場合に紐部材９がピンと張られた状態にならない程度のゆったりした長さが好ましい。
【００３３】
次に、上記マスク１の製造方法について説明する。
【００３４】
図５に示すように、四角形状の本体形成部材（ガーゼ生地）４に、この本体形成部材４の横方向に沿って本体形成部材４の横方向全長にわたる第１折線（長い折線）11と本体形成部材の横方向長さの半分以下の長さの第２折線（短い折線）12を設ける。
【００３５】
そして、図６に示すように、それら第１折線11および第２折線12に沿って本体形成部材４を側面視断面が略Ｓ字状となるように折り畳むことにより、本体形成部材４の横方向に沿って延在する第１折畳部６と第２折畳部７とを上下方向に複数並設し、その後、本体形成部材４の横方向両端部を縫着する。
【００３６】
このように折り畳まれた本体形成部材４では、第２折畳部７が本体形成部材４の横方向両端側にのみ存在し、本体形成部材４の横方向中央部には存在しないため、折畳状態の本体形成部材４の横方向中央部における縦方向長さが横方向両端である側端の縦方向長さより長くなり、したがって、折畳状態の本体形成部材４の上下の横辺が緩やかな曲線を描いている。
【００３７】
そして、本体形成部材（マスク本体２）４を側面視断面でみた場合、横方向両端側では第１折畳部６と第２折畳部７とが交互に現われている（図７（ｂ）参照）。また、本体形成部材４の表（裏）面に形成される折畳部５の長さは、一対の折線11，12の間隔と双方の折線11，12の傾きの違いよって決まる（図５参照）。つまり、第１折畳部６は、一対の第１折線11の縦方向の間隔が広い或いは狭い等に関係なく、双方の第１折線11の傾きを本体形成部材４の幅方向に沿って同程度（略平行）にすることで形成できる。一方、第２折畳部７は、一対の第２折線12の縦方向の間隔を本体形成部材４の幅方向中央側に向って徐々に狭くなるように形成する。したがって、一対の第２折線12の間隔が広い場合でも、双方の第２折線12の傾きを大きくすることで第２折畳部７を形成することができる。
【００３８】
なお、折畳部５は、長い第１折畳部６と短い第２折畳部７を交互に設ける必要はなく（図８参照）、また折り畳む方向が常に一定である必要はない（図９参照）。折畳部５の数および折畳方法は、マスク本体２を広げたとき（図３および図４）のドーム型の立体形状や風合い等を考慮して適宜決定される。
【００３９】
その後、図１０に示すように、本体形成部材４の周端部にほつれ止め13を施す。なお、本体形成部材４の上端と下端にもともとほつれ止め13が施されていれば、横方向両端のみにほつれ止め13を施す。
【００４０】
最後に、本体形成部材４の横方向両端部を折返線14に沿って折り返して紐挿通部15を形成するとともに、その紐挿通部15内に紐部材９を挿通して縫着する。
【００４１】
そして、このように本体形成部材４から形成されるガーゼ製のマスク本体２は、１枚のガーゼまたは２枚〜５枚の積層状のガーゼからなるため、１０枚を超えるガーゼで形成されている従来のガーゼマスクより通気性が良好である。
【００４２】
また、マスク本体２には展開可能な複数の折畳部５が形成されているため、従来の平型のガーゼマスクのマスク本体と比較した場合に、マスク本体２の大きさが同じであったとしても、使用する１層あたりのガーゼは従来より多くなる。そして、マスク本体２は、１層あたり２倍程度の大きさのガーゼを使用する場合があり、６枚以上のガーゼを積層した場合では従来の平型マスクより重くなる可能性がある。したがって、軽量なマスク本体２を得るためには、積層するガーゼを５枚以下にする必要がある。また、マスク本体２を６枚以上のガーゼで形成した場合、積層状のガーゼが嵩張るため、マスク本体２がドーム型の立体形状になってしてもマスク本体２の内部の最も肌側に近いガーゼが口元にまとわり着く可能性があり、装着感を感じさせない風合いをかもし出すことが難しくなる。
【００４３】
さらに、ガーゼは、編目の大きさの違いによって数種類のガーゼが存在する。マスク本体２は、ガーゼの種類とガーゼの積層数を適宜決定することにより、保湿性および装着性が良好なマスク本体２を得ることができる（表１参照）。ガーゼの編目の大きさは、糸の径によって若干の違いはあるが、１ｃｍ×１ｃｍの範囲に存在する縦および横方向の糸の条数（本数）によっておおよそ決まる。
【００４４】
表１に示すとおり、条数が２０（本）×２６（本）の編目の細かなガーゼを使用すれば、１枚のガーゼでマスク本体２を形成してもマスク本体２と装着者の口との間の空間の湿度は８０％に達しており、またこれ以外の条数のガーゼであっても２枚以上ガーゼを積層することでその空間の湿度が８０％以上になることが確認できた。したがって、軽量で保湿性が良好なマスク本体２を形成することが可能となる。なお、表１は、各条件で作成したマスクを６時間連続装着して、マスク本体２と口との間の空間の湿度を１５秒毎に測定し、各測定値の平均湿度を算出したものである。
【００４５】
【表１】
2007319284.tif 000003
【００４６】
また、マスク本体２には、第１折畳部６と第２折畳部７とからなる複数の折畳部５が形成されているため、折畳部５を展開つまり広げたときにマスク本体２は緩やかなドーム型の曲面を描き立体化する。よって、マスク本体２と装着者の口との問に適度な空間が形成され、装着者の口元にマスク本体２がまとわりつくことがなく、長時間装着しても装着者に息苦しさおよび煩わしさをほとんど感じさせない。また、ガーゼの天然繊維等で湿気が適切に保持されるため、保湿性に優れ、その保持した湿気によって鼻および喉の乾燥を防ぐことができ、風邪の予防および治療等に好適である。さらに、マスク本体２は軽量で通気性が良いため、装着感をほとんど感じさせることはなく、長時間リラックスした気分で装着できるとともに、室内での長時間装着に適しており、例えば就寝時に使用することが好ましい。
【００４７】
なお、保湿性の高いマスク本体２は、鼻や気道の繊毛の動きを活発にさせるため、風邪の治りを早めることができるとともに、体内からの異物の排出効果を高める作用もある。
【００４８】
また、体外から吸い込んだ空気は鼻腔で湿度と温度が調節される（湿度８０〜９５％、温度３５〜３７℃）が、空気が乾燥していれば加湿のために多量の粘液を必要とするため、吐息とともに湿気がマスク本体２の外に放出されることは望ましくないが、天然繊維のガーゼは吸湿・吸水性があり、そのため、ガーゼタイプのマスク１を装着した場合、吐息中に含まれる湿気はガーゼの天然繊維に吸収されて保持される。天然繊維に吸収された湿気によりマスク１と鼻および口の空間の湿度が高まるため、装着者の鼻や喉の乾燥を確実に防止することができるのである。なお一方、不織布マスクの素材として通常使用される合成繊維は、吸湿・吸水性がほとんどないため、吐息中に含まれる湿気が繊維に吸収される量は少ない。したがって、吸湿シート等が配置されていない不織布マスクは、ガーゼマスクのような保湿効果は期待できない。
【００４９】
なお、マスク本体２は、図１等に示す構成には限定されず、図１１に示すように、２つの第１折畳部６がマスク本体２の縦方向中央部のみに位置し、左右それぞれ９ずつ形成された計１８の第２折畳部７がマスク本体２の縦方向一端である上端と第１折畳部６との間およびマスク本体２の縦方向他端である下端と第１折畳部６との間であってマスク本体２の横方向両端側に位置し、そして第２折畳部７の長さが第１折畳部６側に位置するものほど長くなっている構成でもよい。
【図面の簡単な説明】
【００５０】
【図１】本発明の一実施の形態に係るマスクの装着前の状態の正面図である。
【図２】同上マスクの装着前の状態の背面図である。
【図３】同上マスクの装着後の状態の斜視図である。
【図４】同上マスクの装着後の状態の正面図である。
【図５】本体形成部材を示す正面図である。
【図６】折線で折り畳まれた本体形成部材の正面図である。
【図７】（ａ）が図６のＩ−Ｉ断面図であり、（ｂ）が図６のＩＩ−ＩＩ断面図である。
【図８】マスク本体の形成できる他のパターンの折畳部の断面図である。
【図９】マスク本体の形成できるさらに他のパターンの折畳部の断面図である。
【図１０】図６の本体形成部材の周囲にほつれ止めが施された状態の正面図である。
【図１１】本発明の他の実施の形態に係るマスクの装着前の状態の正面図である。
【符号の説明】
【００５１】
１    マスク
２    マスク本体
３    耳掛け体
４    本体形成部材
５    折畳部
６    第１折畳部
７    第２折畳部
９    紐部材
【図１】
2007319284.tif 000004
【図２】
2007319284.tif 000005
【図３】
2007319284.tif 000006
【図４】
2007319284.tif 000007
【図５】
2007319284.tif 000008
【図６】
2007319284.tif 000009
【図７】
2007319284.tif 000010
【図８】
2007319284.tif 000011
【図９】
2007319284.tif 000012
【図１０】
2007319284.tif 000013
【図１１】
2007319284.tif 000014